(57)【要約】【課題】細い縦線と横線が組み合わされた文字などの映像信号に対してＬＴＩの補正を行った際に、低い周波数成分が多く含まれる太い線から高い周波数成分が多く含まれる細い線まで均一に効果が出るようにした波形整形装置及び波形整形方法を提供すること。【解決手段】映像信号を処理するデジタル処理システムにおける波形整形装置であって、現在のデータ及びその前後の予め決められた範囲内の複数のデータから最大値及び最小値を求める手段（１１〜１４）と、その最大値と最小値の平均と現在のデータとの差分を求め、その差分値を増幅して現在のデータに加算する手段（１５〜１７）と、その加算したデータを最大値及と最小値の範囲内に制限して出力する手段（１８）とを備えたものである。【選択図】図１
2007288534.tif 000002
【特許請求の範囲】
【請求項１】
映像信号を処理するデジタル処理システムにおける波形整形装置であって、
現在のデータ及びその前後の予め決められた範囲内の複数のデータから最大値及び最小値を求める手段と、
その最大値、最小値の平均と現在のデータとの差分を求め、その差分値を増幅して強調成分として現在のデータに加算する手段と、
その加算したデータを前記最大値と最小値との範囲内に制限して出力する手段と、
を具備したことを特徴とする波形整形装置。
【請求項２】
映像信号を処理するデジタル処理システムにおける波形整形装置であって、
現在のデータ及びその前後の予め決められた範囲内の複数のデータを抜き取る、複数段の遅延部を有した遅延手段と、
この遅延手段からの現在のデータ及びその前後の複数のデータから最大値及び最小値を検出する手段と、
この検出した最大値及び最小値を加算して平均を求める手段と、
この平均値を現在のデータから減算して差分を求めこれを増幅する手段と、
この増幅した差分値を強調成分として現在のデータに加算する手段と、
その加算したデータを前記最大値と最小値との範囲内に制限して出力する手段と、
を具備したことを特徴とする波形整形装置。
【請求項３】
映像信号を処理するデジタル処理システムにおける波形整形装置であって、
入力したデータが１つ前のデータより大きいか小さいかを判断する大小比較手段と、
前記入力データを予め決められた段数だけ遅延させる複数段の遅延部を有した第１の遅延手段と、
前記大小比較手段の判断した大小比較の結果を前記予め決められた段数だけ遅延させる複数段の遅延部を有した第２の遅延手段と、
前記第２の遅延手段の複数段の出力を参照して前記大小比較の結果が極性反転する変曲点を検出する手段と、
前記変曲点を検出した場合は、処理を行う現在のデータから前後それぞれに対して最も近い変曲点にあるデータを前記第１の遅延手段から最大値又は最小値として出力させ、前記変曲点が存在しなかった場合には、前記予め決められた段数の範囲内で最も遠い位相にあるデータを前記第１の遅延手段から最小値又は最大値として出力させる手段と、
その最大値と最小値の平均と現在のデータとの差分を求め、その差分値を増幅して強調成分として現在のデータに加算する手段と、
その加算したデータを前記最大値と最小値との範囲内に制限して出力する手段と、
を具備したことを特徴とする波形整形装置。
【請求項４】
映像信号を処理するデジタル処理システムにおける波形整形方法であって、
現在のデータ及びその前後の予め決められた範囲内の複数のデータから最大値及び最小値を求めるステップと、
その最大値と最小値の平均と現在のデータとの差分を求め、その値を増幅して現在のデータに加算するステップと、
その加算したデータを前記最大値と最小値との範囲内に制限して出力するステップと、
を具備したことを特徴とする波形整形方法。
【請求項５】
映像信号を処理するデジタル処理システムにおける波形整形方法であって、
入力したデータが１つ前のデータより大きいか小さいかを判断するステップと、
その判断した大小比較結果と前記入力データを予め決められた遅延段数だけ遅延させるステップと、
前記大小比較の結果が極性反転する変曲点を検出するステップと、
前記変曲点を検出した場合に、処理を行う現在のデータから前後それぞれに対して最も近い変曲点にあるデータを最大値又は最小値として出力し、前記変曲点が存在しなかった場合には、前記予め決められた遅延段数の範囲内で最も遠い位相にあるデータを最小値又は最大値として出力するステップと、
その加算したデータを前記最大値と最小値との範囲内に制限して出力するステップと、
を具備したことを特徴とする波形整形方法。
【発明の詳細な説明】
【技術分野】
【０００１】
本発明は、映像信号を処理するデジタル処理システムにおける、強調による波形整形を行う波形整形装置及び波形整形方法に関するものである。
【背景技術】
【０００２】
映像信号を映し出すテレビやＶＴＲ，ＤＶＤ，ハードディスクレコーダなどの録画・再生機器においては、放送局から信号が送られてくる際の伝送系や信号処理の過程で発生する信号の劣化を補う画質改善機能が搭載されている。特に、高域成分の減衰により鈍ってしまったエッジ部の傾きを立てる波形整形処理は、ぼやけた映像を明確にする画質改善には有効な機能である。
【０００３】
図７は従来技術による波形整形装置を示した図である。  
図７に示す波形整形装置４０は、入力される映像信号から減衰した高域成分を抜き取るためのフィルタ４１と、フィルタ４１が抜き取った高域成分を増幅させる増幅器４２と、フィルタ４１の群遅延分だけ入力映像信号を遅らせるための遅延回路４３と、増幅器４２が増幅した高域成分を遅延回路４３からの映像信号に加算する加算器４４と、加算器４４で高域成分を加算した映像信号の強調しすぎた箇所を抑圧して、出力信号を取り出すリミッタ４５と、を備えている。
【０００４】
図８は図７の各部の信号波形を示す図であり、鈍ったしまった映像信号波形を元の波形に近づける波形整形処理の過程を示している。  
図８において、（ａ）が元の波形、（ｂ）が伝送系や前段部の信号処理で高域成分が減衰して鈍ってしまった入力映像信号波形、（ｃ）が入力映像信号から減衰してしまった高域成分を抜き取った波形、（ｄ）が抜き取った高域成分を増幅させて入力映像信号に加算した波形、（ｅ）が強調し過ぎた箇所をリミッタ処理により抑圧した出力波形である。
【０００５】
図８に示すように、元の波形(a)に対して鈍ってしまった入力映像信号波形(b)からフィルタ４１にて予め決められた帯域の高域成分(c)を抜き取り、抜き取った高域成分(c)を増幅器４２で増幅させた後、その増幅した高域成分と遅延回路４３にて遅延した映像信号(b)とを加算器４４にて同じタイミングで加算し、その加算した信号(d)で強調量が大きすぎてエッジ部の前後で発生するオーバーシュート（(e)の点線部分）をリミッタ４５により制限する処理を行っている。
【０００６】
この場合、フィルタ４１により抜き取る周波数帯域を高めに設定する(つまり、カットオフ周波数が高い)と高周波成分の多い細い縦線には強調効果があるが、低周波成分を多く含む太い線（例えば横線）には効かなくなるため全体的には効果が小さくなる。また、フィルタ４１の周波数帯域を低めに設定する(つまり、カットオフ周波数が低い)と低い周波数成分の多い太い線まで強調が効くようになり全体的には効果が上がって見えるが、細い線ではそれに含まれる元々小さなレベルの低域成分を強調してしまうため細い線が太くなる弊害が発生する。
【０００７】
ところで、図７の波形整形装置は、入力波形から抽出した高域成分を増幅して、入力波形に加算し、エッジ部を強調した後、エッジ部の前後のオーバーシュートを切り取ることによって、鈍ってしまった入力波形のエッジ部のスロープを整形するものである。
【０００８】
このような映像信号（輝度信号）の立ち上がり（或いは立ち下がり）を改善する処理は、ＬＴＩ（輝度信号立ち上がり改善処理）と呼ばれている。ＬＴＩは、オーバーシュートの補正は付けずに波形応答だけを改善しようとするものである。
【０００９】
図９及び図１０は、従来技術で問題となる細い縦線と太い縦線が混在したときの処理を示したものである。  
特に、図１０(A)に示すようにアルファベットの「Ｈ」の文字の映像を強調による波形整形処理をする際に、文字「Ｈ」の垂直方向の中間位置に相当する水平走査ライン２上に細い縦線→太い線(横線)→細い縦線となる映像がある場合、フィルタ４１の帯域がやや低めに設定されていると、細い縦線の小さなレベルの低周波成分が強調される結果細い縦線が太くなる。映像「Ｈ」上の水平走査ライン１，２では、ライン１上の映像信号は高域成分を多く含んだ細い縦線に対応した短い幅のパルス信号であって、ライン２上の映像信号は低い周波数成分を多く含んだ横線に対応した長い幅のパルス信号である。つまり、帯域が低めに設定されたフィルタ４１であっても、レベルの大きな低い周波数成分を多く含んだ横線は強調される程度は少ないが、フィルタ４１の帯域内に小さなレベルの低域成分も含んでいる細い縦線はその低域成分が強調される結果細い縦線が太くなる。このため、図１０(B)のように縦線は太くなり横線は水平方向に殆ど太くならないために、横線の両端が窪んでしまったような形状になり、画質が劣化したように見えてしまう。その対策としては、低域での強調効果を抑えて図１０(B)の弊害を小さくするか、フィルタの構成を複雑にして高域及び低域での帯域特性を合わせ込むなどの複雑な処理が必要であった。
【００１０】
図９は図７の装置における波形応答改善の各部の映像「Ｈ」の信号波形を示す図、図１０は図９の信号波形に対応した波形応答改善前後の映像「Ｈ」の例を示す図である。  
ここで、図９の波形と図１０の映像との関係について説明する。  
図９(ａ)が図１０(Ａ)のライン１の入力波形、図９(ｂ)が同じく図１０(Ａ)のライン２の入力波形を示しており、図９(ｃ)，(ｄ)は図９(ａ)，(ｂ)それぞれを図７のフィルタ４１を低い周波数成分まで強調がかかるように設定した場合のフィルタ出力波形、図９(ｅ)，(ｆ)はリミッタ処理を行った際のライン１，２それぞれの出力波形を示している。
【００１１】
図１０(Ａ)は図７の装置の入力映像である強調処理前の映像「Ｈ」を示している。図１０(Ｂ)は強調を行った結果の映像である。
【００１２】
図９(ａ)，(ｂ)はそれぞれ図１０（Ａ）の映像「Ｈ」における２つの水平走査ライン１，２上の○で囲んだ部分（符号Ｇにて示す）での入力波形を示している。  
ライン１，２上の入力波形は、図９(ａ)，(ｂ)の実線にて示すように元の波形（破線）に対して鈍った波形であるとする。図９(ｃ)，(ｄ)はそれぞれライン１，２上の各入力信号をフィルタ４１を通したフィルタ出力を示している。
【００１３】
図１０(Ｂ)は図７の装置の出力映像である強調処理後の映像「Ｈ」を示している。図９(ｅ)，(ｆ)はそれぞれ図１０(Ｂ)の映像「Ｈ」における○で囲んだ部分（符号Ｇ）での２つの水平走査ライン１，２上の出力波形を示している。すなわち、図９(ｅ)，(ｆ)はそれぞれライン１，２上におけるリミッタ４５の出力を示している。
【００１４】
図１０(Ａ)の強調処理前の映像「Ｈ」における細い縦線については、図１０(Ｂ)の強調処理後の出力は、ライン１上の映像は斜線（ハッチング）にて示す幅の太い縦線になる。図９(ｅ)，(ｆ)について言えば、図９(ｅ)に示すライン１の出力波形は、図９(ａ)に示すライン１の入力波形に比べて、黒色及びそれに近い灰色を呈する線の幅が左右にΔＬだけ太くなる。一方、ライン２上の横線の映像については前述したように殆ど太くならないために、横線の両端が窪んでしまったような形状になる。
【００１５】
ところで、前述したＬＴＩの先行技術としては、例えば特許文献１がある。特許文献１には、ディジタルＳＤ(Standard Definition)放送４８０ｉのコンポーネント信号（ＹＣｂＣｒ）に対し、それ以外のコンポーネント信号に対する画質補正に比べ、コアリングを強くする補正、ピーキングを小さくする補正、及び信号立ち上がりを急峻にする補正（ＬＴＩ）の少なくとも一つを行ったり、補正特性を異ならせることによって、ディジタルＳＤ放送４８０ｉのディジタルノイズを低減するようにしたことが記載されている。  
しかしながら、特許文献１には、細い縦線と横線が組み合わされた文字などの映像信号に対して画質補正を行った際に、低い周波数成分が多く含まれる太い線から高い周波数成分が多く含まれる細い線まで均一に効果が出るように改善を行うことについては述べられていない。
【特許文献１】特開２００５−６５３２６号公報
【発明の開示】
【発明が解決しようとする課題】
【００１６】
そこで、本発明は上記の問題に鑑み、細い縦線と横線が組み合わされた文字などの映像信号に対してＬＴＩの補正を行った際に、低い周波数成分が多く含まれる太い線から高い周波数成分が多く含まれる細い線まで均一に効果が出るようにした波形整形装置及び波形整形方法を提供することを目的とするものである。
【課題を解決するための手段】
【００１７】
本願発明の第1の態様によれば、映像信号を処理するデジタル処理システムにおける波形整形装置であって、現在のデータ及びその前後の予め決められた範囲内の複数のデータから最大値及び最小値を求める手段と、その最大値、最小値の平均と現在のデータとの差分を求め、その差分値を増幅して強調成分として現在のデータに加算する手段と、その加算したデータを前記最大値及と最小値との範囲内に制限して出力する手段と、を具備したことを特徴とする波形整形装置が提供される。
【００１８】
本願発明の第２の態様によれば、映像信号を処理するデジタル処理システムにおける波形整形装置であって、現在のデータ及びその前後の予め決められた範囲内の複数のデータを抜き取る、複数段の遅延部を有した遅延手段と、この遅延手段からの現在のデータ及びその前後の複数のデータから最大値及び最小値を検出する手段と、この検出した最大値及び最小値を加算して平均を求める手段と、この平均値を現在のデータから減算して差分を求めこれを増幅する手段と、この増幅した差分値を強調成分として現在のデータに加算する手段と、その加算したデータを前記最大値と最小値との範囲内に制限して出力する手段と、を具備したことを特徴とする波形整形装置が提供される。
【００１９】
本願発明の第３の態様によれば、映像信号を処理するデジタル処理システムにおける波形整形装置であって、入力したデータが１つ前のデータより大きいか小さいかを判断する大小比較手段と、前記入力データを予め決められた段数だけ遅延させる複数段の遅延部を有した第１の遅延手段と、前記大小比較手段の判断した大小比較の結果を前記予め決められた段数だけ遅延させる複数段の遅延部を有した第２の遅延手段と、前記第２の遅延手段の複数段の出力を参照して前記大小比較の結果が極性反転する変曲点を検出する手段と、前記変曲点を検出した場合は、処理を行う現在のデータから前後それぞれに対して最も近い変曲点にあるデータを前記第１の遅延手段から最大値又は最小値として出力させ、前記変曲点が存在しなかった場合には、前記予め決められた段数の範囲内で最も遠い位相にあるデータを前記第１の遅延手段から最小値又は最大値として出力させる手段と、その最大値と最小値の平均と現在のデータとの差分を求め、その差分値を増幅して強調成分として現在のデータに加算する手段と、その加算したデータを前記最大値と最小値との範囲内に制限して出力する手段と、を具備したことを特徴とする波形整形装置が提供される。
【００２０】
本願発明の第４の態様によれば、映像信号を処理するデジタル処理システムにおける波形整形方法であって、現在のデータ及びその前後の予め決められた範囲内の複数のデータから最大値及び最小値を求めるステップと、その最大値と最小値の平均と現在のデータとの差分を求め、その値を増幅して現在のデータに加算するステップと、その加算したデータを前記最大値と最小値との範囲内に制限して出力するステップと、を具備したことを特徴とする波形整形方法が提供される。
【００２１】
本願発明の第５の態様によれば、映像信号を処理するデジタル処理システムにおける波形整形方法であって、入力したデータが１つ前のデータより大きいか小さいかを判断するステップと、その判断した大小比較結果と前記入力データを予め決められた遅延段数だけ遅延させるステップと、前記大小比較の結果が極性反転する変曲点を検出するステップと、前記変曲点を検出した場合に、処理を行う現在のデータから前後それぞれに対して最も近い変曲点にあるデータを最大値又は最小値として出力し、前記変曲点が存在しなかった場合には、前記予め決められた遅延段数の範囲内で最も遠い位相にあるデータを最小値又は最大値として出力するステップと、その加算したデータを前記最大値と最小値との範囲内に制限して出力するステップと、を具備したことを特徴とする波形整形方法が提供される。
【発明の効果】
【００２２】
本発明によれば、細い縦線と横線が組み合わされた文字などの映像信号に対してＬＴＩの補正を行った際に、低い周波数成分が多く含まれる太い線から高い周波数成分が多く含まれる細い線まで均一に効果が出るようにした波形整形装置を提供することができる。
【発明を実施するための最良の形態】
【００２３】
発明の実施の形態について図面を参照して説明する。  
本発明の実施形態は、伝送系や信号処理の過程で起こる高域成分の減衰などにより鈍ってしまった輝度信号のエッジを立てて画質の改善を行う波形整形装置において、現在のデータから最大値及び最小値を検出し、その最大値及び最小値の平均と現在のデータとの差分を強調することにより、低い周波数成分が多く含まれる太い線から高い周波数成分が多く含まれる細い線まで均一に効果を出すようにする。
【００２４】
［第１の実施形態］
図１は本発明の第１の実施形態の波形整形装置のブロック図を示している。  
図１に示す波形整形装置１０は、入力データが供給される遅延回路１１とこの遅延回路１１に縦続接続する遅延回路１２とを備えた遅延手段と、遅延回路１１，１２にそれぞれ対応して設けられた最大値／最小値検出回路１３，１４による最大値／最小値検出手段と、ディジタルフィルタなどで構成される微分機能を有した演算回路１５と、増幅器１６と、加算器１７と、出力信号波形の振幅を制限するリミッタ１８と、を備えている。ここで、データとは、１クロックごとにラッチされるサンプリングデータ例えばドットデータに相当するものである。ドットデータは、表示装置の表示ドット数（解像度）を構成する１つ１つのデータであり、通常は所定のビット数（例えば８ビット）で構成されている。
【００２５】
遅延回路１１は、複数段の遅延部を備え、入力データを所定の段数だけ遅延させる手段であって、処理する現在のデータより後から来た所定数のデータ（以下、後のデータ）を抜き出すための遅延回路である。  
遅延回路１２は、複数段の遅延部を備え、遅延回路１１から出力されるデータを所定の段数だけ遅延させる手段であって、処理する現在のデータより前に来た所定数のデータ（以下、前のデータ）を抜き出すための遅延回路である。
【００２６】
遅延回路１１，１２はそれぞれ、１段遅延回路を所定の段数だけ縦続接続して構成されている。遅延回路１１，１２における所定の段数は、現在のデータの前後に決められる検出範囲に対応している。１段遅延回路はデータラッチ回路で構成されている。遅延回路１１，１２は、それぞれ、入力されたデータを１クロックごとに所定段数に対応した所定数のデータラッチ回路に順次シフトしていくことによって、データを遅延させる。遅延回路１１，１２の接続点のデータを現在のデータとしている。
【００２７】
最大値／最小値検出回路１３は、現在および後のデータ群の中から最大値または最小値を示すデータを検出して抜き出す手段である。最大値／最小値検出回路１４は、現在および前のデータ群の中から最小値または最大値を示すデータを検出して抜き出す手段である。
【００２８】
従って、最大値／最小値検出回路１３，１４は、現在のデータの前後に予め決められた範囲内のデータから最大値及び最小値を求めて抜き出すものである。最大値及び最小値の検出方法としては、予め決められた範囲内の複数のデータから数値の大小比較により最大値及び最小値を探し出しても良く、或いは、予め決められた範囲内の複数のデータから、まず、ピーク検出し、そのピーク検出したものの中から最大値又は最小値を探し出すようにしてもよい。
【００２９】
演算回路１５は、例えばデジタルフィルタで構成される微分回路であって、最大値及び最小値の２つのデータを加算する加算器１５１と、加算器１５１の加算出力を極性反転しかつ振幅を１／２にして出力する1/2反転回路１５２と、現在のデータに1/2反転回路１５２からの反転出力を加算する加算器１５３とを備え、最大値と最小値との平均値を現在のデータの値から引き去ることによって差分値を得るものである。増幅器１６は、その差分値を増幅する。加算器１７は、増幅器１６で増幅した信号を現在のデータに加算することによって、現在のデータのエッジ部分を強調した信号を出力する。
【００３０】
リミッタ１８は、最大値と最小値の範囲（リミット範囲）で加算器１７の出力を制限するもので、加算器１７で加算した結果が前記最大値と最小値を超える場合にはその最大値または最小値に置き換えてその値を越えないよう制限する。  
なお、現在のデータが最大値又は最小値の場合は、現在のデータは自身のデータによってリミットがかかることになる。
【００３１】
次に、図２を参照して図１の装置の動作を説明する。  
図２は図１の信号処理方法を説明する図である。図２において、横軸は時間、縦軸はデータの大きさを示している。  
遅延回路１１，１２により、処理を行う現在のデータに対する前後のデータを、指定した範囲（検出範囲）で抜き取り、現在のデータから最も近い最大値および最小値を抜き取る。得られた最大値と最小値の平均値をとり、現在のデータから引き去った差分値を増幅して現在の値に加算した後に、最大値と最小値間のリミット範囲でリミットして出力する。なお、図１に示すように遅延回路１１，１２の中間位置のデータも最大値／最小値検出回路１３，１４にそれぞれ供給されており、現在のデータも含めて最大値，最小値を検出するようにしている。
【００３２】
図２の例では、最大値／最小値検出回路１３，１４は、指定された範囲内で、現在のデータから順次に前後のデータについて時間的に隣接するデータ同士を比較し、最大値及び最小値を検出すると、現在のデータから２つ前のデータが最大値であり、３つ後のデータが最小値である。その最大値と最小値の平均値は現在のデータより小さいため、現在のデータから平均値を引き去った差分値が加算器１７で現在のデータに加算されると、現在のデータは最大値側に移動し、最大値を超えた場合には最大値に置き換わるリミット処理がなされる。
【００３３】
最大値／最小値検出回路１３では、 遅延回路１１から出力される、現在のデータ（図２でハッチングにて示すデータ）より後のデータ（図２の右側）に行くほどデータの値が減少しており、検出範囲の一方の境界（検出範囲の右端）に対応するデータが最小値として検出される。また、最大値／最小値検出回路１４では、現在のデータ（図２でハッチングにて示すデータ）より前のデータ（図２の左側）に行くほどデータの値が増加した後減少して、検出範囲のもう一方の境界（検出範囲の左端）の手前でデータが増加から減少へ反転したところ（変曲点）のデータが最大値として検出される。
【００３４】
このように、図２の例では、現在のデータより前後のデータをサーチしたとき、検出範囲内でデータの傾きが極性反転するピークポイントが１つの場合（即ち最大値の候補が１つの場合）を示しているが、本第１の実施形態では、検出範囲内で極大値及び極小値が複数あった場合（所謂変曲点が複数あった場合）でも、その検出範囲内で最も大きい値を最大値とし、最も小さい値を最小値として検出するものである。
【００３５】
図３及び図４は本実施形態の効果を示す図である。図３は図１の装置における波形応答改善の各部の特定の映像「Ｈ」の信号波形を示す図、図４は図３の信号波形に対応した波形応答改善前後の映像「Ｈ」の例を示す図である。  
図３(a)および図３(b)は、図４(A)の入力映像「Ｈ」の水平走査のライン１及びライン２の入力波形と、このライン１及びライン２の入力波形に対して本発明の実施形態を用いたときに演算回路１５で算出される最大値と最小値の平均の値を示した図である。
【００３６】
図３(c)および図３(d)はそれぞれ図３(a)，(b)で示した平均値を同図(a)，(b)の実線で示す入力波形から引き去った波形であって、波形整形するために加算する強調信号である。図３(e)，(f)が波形応答改善後の波形、図４(B)がリミッタ１８通過後の波形応答改善を行った結果の映像である。
【００３７】
図３及び図４に示したように、本発明では入力した波形の持つ周波数スペクトラムに関係なく、処理するデータが存在するスロープの最大値、最小値を求めてスロープの傾きを立てる処理を行うため、低い周波数成分が多く含まれる太い線から高い周波数成分が多く含まれる細い線まで均一に波形整形（波形応答）を行い、両者が混在する映像に対して与える一部が窪むなどのダメージを生じることが少なくなる。  
第１の実施形態によれば、細い縦線と横線が組み合わされた文字などの映像信号に対してＬＴＩ（波形応答改善）の補正を行った際に、低い周波数成分が多く含まれる太い線から高い周波数成分が多く含まれる細い線まで均一に効果を出すことが可能となる。
【００３８】
［第２の実施形態］
図５は本発明の第２の実施形態の波形整形装置のブロック図を示している。  
図５に示す波形整形装置２０は、入力データが供給される遅延回路２１とこの遅延回路２１に縦続接続する遅延回路２２とを備えた第１の遅延手段と、大小比較回路２３と、第２の遅延手段であるシフトレジスタ２４と、極性反転検出回路２５と、遅延回路２１の各段の出力が入力するセレクタ２６と遅延回路２２の各段の出力が入力するセレクタ２７とを備えた最大値及び最小値出力手段と、デジタルフィルタ等で構成される微分機能を有した演算回路２８と、増幅器２９と、加算器３０と、出力信号波形の振幅を制限するリミッタ３１と、を備えている。
【００３９】
遅延回路２１は、複数段の遅延部を備え、入力データを所定の段数だけ遅延させる手段であって、図１と同様に現在のデータとその後の複数のデータを抜き出すための回路である。また、遅延回路２２は、複数段の遅延部を備え、入力データを所定の段数だけ遅延させる手段であって、現在のデータとその前の複数のデータを抜き出すための回路である。遅延回路２１及び遅延回路２２は、入力データを予め決められた段数だけ遅延させる第１の遅延手段を構成している。
【００４０】
大小比較回路２３は、入力データと１つ前のデータとの大小比較を行う回路であって、例えば、（１つ前のデータ）−（入力データ）が正（横軸を時間、縦軸をデータの大きさとしたときに右下がりとなる）ならば‘１’、負（右上がり）ならば‘０’を出力し、シフトレジスタ２４に入力する。シフトレジスタ２４は、（第１の遅延手段としての遅延回路２１，２２の合計段数）−１に相当する段数（タップ数）を備えており、大小比較回路２３の大小比較結果（上記‘１’，‘０’で表される位相）を予め決められた段数だけ遅延させるものである。
【００４１】
シフトレジスタ２４は、複数段の遅延部を備え、大小比較回路２３で判断した大小比較の結果を前記第１の遅延手段と同じ予め決められた段数だけ遅延させる第２の遅延手段を構成している。従って、シフトレジスタ２４の各段のタップからは右下がり，右上がりに対応した‘１’，‘０’の数列が出力される。  
極性反転検出回路２５は、シフトレジスタ２４の各タップの位相‘１’，‘０’の反転する変曲点を検出する回路である。  
セレクタ２６は、遅延回路２１からの後のデータに対して、極性反転検出回路２５で検出した現在のデータに一番近い変曲点に対応したデータを選択して出力する。  
セレクタ２７は  遅延回路２２からの前のデータに対して、極性反転検出回路２５現在のデータに一番近い変曲点に対応したデータを選択して出力する。
【００４２】
セレクタ２６及びセレクタ２７は、第１の遅延手段で予め決められた段数の範囲内の複数のデータについて、極性反転検出回路２５で検出した現在のデータに最も近い変曲点に対応したデータを最大値又は最小値として出力する最大値及び最小値出力手段である。即ち、セレクタ２６及びセレクタ２７は、処理を行う現在のデータの位相を起点として前後に極性が反転する変曲点を探して行き、変曲点が存在した場合にはその変曲点のデータを最大値又は最小値として出力し、変曲点が存在しなかった場合には予め決められた段数の範囲内（検出範囲）で現在のデータから最も一番遠いデータを最小値又は最大値として出力する。
【００４３】
演算回路２８は、最大値及び最小値出力手段から出力される最大値と最小値との平均を求め、処理する現在のデータから減算する演算回路である。演算回路２８は、最大値と最小値の２つのデータを入力して加算する加算器２８１と、加算器２８１の加算出力を極性反転しかつ振幅を１／２にして出力する1/2反転回路２８２と、現在のデータに1/2反転回路２８２からの反転出力を加算する加算器２８３とを備え、最大値と最小値の平均値を現在のデータの値から減算することによって差分値を得るものである。
【００４４】
増幅器２９は、その差分値を増幅する。加算器３０は、増幅器２９で増幅した信号を強調成分として現在のデータに加算することによって、現在のデータのエッジ部分を強調した信号を出力する。  
リミッタ３１は、最大値と最小値の範囲（リミット範囲）で加算器３０の出力を制限するもので、加算器３０で加算した結果が前記最大値と最小値を超える場合にはその最大値または最小値に置き換えて出力しその値を越えないよう制限する。  
増幅器２９，加算器３０及びリミッタ３１はそれぞれ図１の増幅器１６，加算器１７及びリミッタ１８に相当する回路である。
【００４５】
次に、図６を参照して、図５の装置の動作を説明する。  
図６は信号処理の方法を示す図である。図６において、横軸は時間、縦軸はデータの大きさを示している。  
図６の例では、遅延回路２１，２２の個々のデータを比較するのではなく、入力したデータを１つ前のデータと比較してその結果をシフトレジスタ２４で遅延させ、予め決められた段数の範囲内に極性反転が存在した場合には、現在のデータから一番近い極性反転のポイント(変曲点)に対応したデータを最大値又は最小値として出力させ、極性反転が存在しなった場合には、予め決められた段数の範囲(検出範囲)で一番遠いデータを最小値又は最大値として出力させる。つまり、現在のデータの一番近い変曲点を最大値、又は最小値として出力させる。この例では、現在のデータの後ろ側には極性反転が存在しないため、予め決められた範囲で一番遠い３つ後ろのデータが最小値として出力される。
【００４６】
第２の実施形態の効果は、第１の実施形態における図３及び図４で述べた効果と同様である。実験の結果でも、第１の実施形態と同様な波形応答の改善が得られた。  
第２の実施形態によれば、細い縦線と横線が組み合わされた文字などの映像信号に対してＬＴＩ（波形応答改善）の補正を行った際に、低い周波数成分が多く含まれる太い線から高い周波数成分が多く含まれる細い線まで均一に効果を出すことが可能となる。
【図面の簡単な説明】
【００４７】
【図１】本発明の第１の実施形態の波形整形装置のブロック図。
【図２】図１の信号処理方法を説明する図。
【図３】図１の装置における波形応答改善の各部の特定の映像の信号波形を示す図。
【図４】図３の信号波形に対応した波形応答改善前後の映像の例を示す図。
【図５】本発明の第２の実施形態の波形整形装置のブロック図。
【図６】図５の信号処理方法を説明する図。
【図７】従来例の波形整形装置のブロック図。
【図８】図７の装置における波形応答改善の各部の一般的な信号波形を示す図。
【図９】図７の装置における波形応答改善の各部の特定の映像の信号波形を示す図。
【図１０】図９の信号波形に対応した波形応答改善前後の映像の例を示す図。
【符号の説明】
【００４８】
１０…波形整形装置
１１，１２…遅延回路
１３，１４…最大値／最小値検出回路
１５…演算回路
１６…増幅器
１７…加算器
１８…リミッタ
２０…波形整形装置
２１，２２…遅延回路
２３…大小比較回路
２４…シフトレジスタ
２５…極性反転回路
２６，２７…セレクタ
２８…演算回路
２９…増幅器
３０…加算器
３１…リミッタ
【図１】
2007288534.tif 000003
【図２】
2007288534.tif 000004
【図３】
2007288534.tif 000005
【図４】
2007288534.tif 000006
【図５】
2007288534.tif 000007
【図６】
2007288534.tif 000008
【図７】
2007288534.tif 000009
【図８】
2007288534.tif 000010
【図９】
2007288534.tif 000011
【図１０】
2007288534.tif 000012